【手続補正書】
【提出日】平成29年2月24日(2017.2.24)
【手続補正１】
【補正対象書類名】特許請求の範囲
【補正対象項目名】全文
【補正方法】変更
【補正の内容】
【特許請求の範囲】
【請求項１】
式（Ｉ）：
【化１】
2016514192.tif 000001
の構造を含む化合物
（式中、
ｉ）ｍは、０、１、２、または３であり；
ｉｉ）ｎは、０、１、２、または３であり；
ｉｉｉ）ｏは、０、１、２、または３であり；
ｉｖ）ｐは、０または１であり；
ｖ）ｒは、０または１であり；
ｖｉ）ｑは、１〜４００の整数であり；
ｖｉｉ）Ｑｘは、ＮＨ、（Ｃ１〜Ｃ１０）アルキル、（Ｃ２〜Ｃ９）ヘテロアルキル、（Ｃ３〜Ｃ１０）シクロアルキル、（Ｃ２〜Ｃ９）ヘテロシクロアルキル、（Ｃ６〜Ｃ１４）アリール、（Ｃ２〜Ｃ９）ヘテロアリールであり；
ｖｉｉｉ）Ｑｙは、ＮＨ−Ｒｗ、ＮＨ−ＣＨ２−Ｒｗ、（Ｃ１〜Ｃ１０）アルキル、または（Ｃ６〜Ｃ１４）アリール（式中、Ｒｗは、不在または（Ｃ１〜Ｃ１０）アルキル、（Ｃ２〜Ｃ９）ヘテロアルキル、（Ｃ６〜Ｃ１４）アリール、もしくは（Ｃ２〜Ｃ９）ヘテロアリールである）であり；
ｉｘ）ＲｘおよびＲｙは、それぞれ独立して、薬学的に許容される末端基である）。
【請求項２】
式（ＩＩ）：
【化２】
2016514192.tif 000002
の構造を含む化合物
（式中、
ｉ）ｍは、０、１、２、または３であり；
ｉｉ）ｎは、０、１、２、または３であり；
ｉｉｉ）ｏは、０、１、２、または３であり；
ｉｖ）ｐは、０または１であり；
ｖ）ｒは、０または１であり
ｖｉ）ｑは、１〜４００の整数であり；
ｖｉｉ）Ｑｘは、ＮＨ、（Ｃ１〜Ｃ１０）アルキル、（Ｃ２〜Ｃ９）ヘテロアルキル、（Ｃ３〜Ｃ１０）シクロアルキル、（Ｃ２〜Ｃ９）ヘテロシクロアルキル、（Ｃ６〜Ｃ１４）アリール、（Ｃ２〜Ｃ９）ヘテロアリールであり；
ｖｉｉｉ）Ｑｙは、ＮＨ−Ｒｗ、ＮＨ−ＣＨ２−Ｒｗ、（Ｃ１〜Ｃ１０）アルキル、または（Ｃ６〜Ｃ１４）アリール（式中、Ｒｗは、不在または（Ｃ１〜Ｃ１０）アルキル、（Ｃ２〜Ｃ９）ヘテロアルキル、（Ｃ６〜Ｃ１４）アリール、もしくは（Ｃ２〜Ｃ９）ヘテロアリールである）であり；
ｉｘ）ＲｘおよびＲｙは、それぞれ独立して、薬学的に許容される末端基であり；
ｘ）Ｘ−は、それぞれ独立して、ハロまたは任意の 薬学的に許容されるアニオンであり
；
ｘｉ）Ｙ１およびＹ２は、それぞれ独立して、Ｈまたは（Ｃ１〜Ｃ１０）アルキル、（Ｃ２〜Ｃ９）ヘテロアルキル、（Ｃ３〜Ｃ１０）シクロアルキル、（Ｃ２〜Ｃ９）ヘテロシクロアルキル、（Ｃ６〜Ｃ１４）アリール、（Ｃ２〜Ｃ９）ヘテロアリール、（Ｃ１〜Ｃ１０）アルキルアミン、−Ｓ−Ｏ−（Ｃ１〜Ｃ１０）アルキル、−Ｏ（Ｏ）Ｃ−（Ｃ１〜Ｃ１０）アルキル、−（Ｃ１〜Ｃ１０）アルキル−ＣＯＯＨ、（Ｃ３〜Ｃ１０）シクロアルキル−ＣＯＯＨ、−（Ｏ）ＣＨ３、−ＯＨ、アミド、
式Ｄ、
【化３】
2016514192.tif 000003
（式中、ｄは、０〜２５の整数である）
によって表されるジヒドロキシ基、または
式（Ｅ）
【化４】
2016514192.tif 000004
（式中、ｅは、１〜２５の整数である）
によって表されるポリエチレングリコール基からなる群から選択される１つまたはそれ以上の置換基によって場合により置換されている（Ｃ１〜Ｃ１０）アルキルである）。
【請求項３】
式（ＩＩＩ）：
【化５】
2016514192.tif 000005
の構造を含む化合物
（式中、
ｉ）ｍは、０、１、２、または３であり；
ｉｉ）ｎは、０、１、２、または３であり；
ｉｉｉ）ｏは、０、１、２、または３であり；
ｉｖ）ｐは、０または１であり；
ｖ）ｒは、０または１であり；
ｖｉ）ｑは、１〜４００の整数であり；
ｖｉｉ）Ｑｘは、ＮＨ、（Ｃ１〜Ｃ１０）アルキル、（Ｃ２〜Ｃ９）ヘテロアルキル、（Ｃ３〜Ｃ１０）シクロアルキル、（Ｃ２〜Ｃ９）ヘテロシクロアルキル、（Ｃ６〜Ｃ１４）アリール、（Ｃ２〜Ｃ９）ヘテロアリールであり；
ｖｉｉｉ）Ｑｙは、ＮＨ−Ｒｗ、ＮＨ−ＣＨ２−Ｒｗ、（Ｃ１〜Ｃ１０）アルキル、または（Ｃ６〜Ｃ１４）アリール（式中、Ｒｗは、不在または（Ｃ１〜Ｃ１０）アルキル、（Ｃ２〜Ｃ９）ヘテロアルキル、（Ｃ６〜Ｃ１４）アリール、もしくは（Ｃ２〜Ｃ９）ヘテロアリールである）であり；
ｉｘ）ＲｘおよびＲｙは、それぞれ独立して、薬学的に許容される末端基であり；
ｘ）Ｘ−は、ハロまたは任意の薬学的に許容されるアニオンであり；
ｘｉ）Ｙ１は、Ｈまたは（Ｃ１〜Ｃ１０）アルキル、（Ｃ２〜Ｃ９）ヘテロアルキル、（Ｃ３〜Ｃ１０）シクロアルキル、（Ｃ２〜Ｃ９）ヘテロシクロアルキル、（Ｃ６〜Ｃ１４）アリール、（Ｃ２〜Ｃ９）ヘテロアリール、（Ｃ１〜Ｃ１０）アルキルアミン、−Ｓ−Ｏ−（Ｃ１〜Ｃ１０）アルキル、−Ｏ（Ｏ）Ｃ−（Ｃ１〜Ｃ１０）アルキル、−（Ｃ１〜Ｃ１０）アルキル−ＣＯＯＨ、（Ｃ３〜Ｃ１０）シクロアルキル−ＣＯＯＨ、−（Ｏ）ＣＨ３、−ＯＨ、アミド、
式Ｄ、
【化６】
2016514192.tif 000006
（式中、ｄは、０〜２５の整数である）
によって表されるジヒドロキシ基、または
式（Ｅ）
【化７】
2016514192.tif 000007
（式中、ｅは、１〜４００の整数である）
によって表されるポリエチレングリコール基からなる群から選択される１つまたはそれ以上の置換基によって場合により置換されている（Ｃ１〜Ｃ１０）アルキルである）。
【請求項４】
ｎが０である、請求項１に記載の化合物。
【請求項５】
ｎが０である、請求項２に記載の化合物。
【請求項６】
ｎが０である、請求項３に記載の化合物。
【請求項７】
ｎが１である、請求項１に記載の化合物。
【請求項８】
ｎが１である、請求項２に記載の化合物。
【請求項９】
ｎが１である、請求項３に記載の化合物。
【請求項１０】
ｎが２である、請求項１に記載の化合物。
【請求項１１】
ｎが２である、請求項２に記載の化合物。
【請求項１２】
ｎが２である、請求項３に記載の化合物。
【請求項１３】
ｎが３である、請求項１に記載の化合物。
【請求項１４】
ｎが３である、請求項２に記載の化合物。
【請求項１５】
ｎが３である、請求項３に記載の化合物。
【請求項１６】
ｐが０である、請求項１に記載の化合物。
【請求項１７】
ｐが０である、請求項２に記載の化合物。
【請求項１８】
ｐが０である、請求項３に記載の化合物。
【請求項１９】
ｐが１である、請求項１に記載の化合物。
【請求項２０】
ｐが１である、請求項２に記載の化合物。
【請求項２１】
ｐが１である、請求項３に記載の化合物。
【請求項２２】
ｒが０である、請求項１に記載の化合物。
【請求項２３】
ｒが０である、請求項２に記載の化合物。
【請求項２４】
ｒが０である、請求項３に記載の化合物。
【請求項２５】
ｒが１である、請求項１に記載の化合物。
【請求項２６】
ｒが１である、請求項２に記載の化合物。
【請求項２７】
ｒが１である、請求項３に記載の化合物。
【請求項２８】
ｐが０であり、ｒが０である、請求項１に記載の化合物。
【請求項２９】
ｐが０であり、ｒが０である請求項２に記載の化合物。
【請求項３０】
ｐが０であり、ｒが０である、請求項３に記載の化合物。
【請求項３１】
ｐが１であり、ｒが１である、請求項１に記載の化合物。
【請求項３２】
ｐが１であり、ｒが１である、請求項２に記載の化合物。
【請求項３３】
ｐが１であり、ｒが１である、請求項３に記載の化合物。
【請求項３４】
ｎが３であり；ｐが１であり；ｒが１である、請求項１に記載の化合物。
【請求項３５】
ｎが３であり；ｐが１であり；ｒが１である、請求項２に記載の化合物。
【請求項３６】
ｎが３であり；ｐが１であり；ｒが１である、請求項３に記載の化合物。
【請求項３７】
ｎが０であり；ｐが１であり；ｒが１である、請求項１に記載の化合物。
【請求項３８】
ｎが０であり；ｐが１であり；ｒが１である、請求項２に記載の化合物。
【請求項３９】
ｎが０であり；ｐが１であり；ｒが１である、請求項３に記載の化合物。
【請求項４０】
ｎが０であり；ｐが０であり；ｒが０である、請求項１に記載の化合物。
【請求項４１】
ｎが０であり；ｐが０であり；ｒが０である、請求項２に記載の化合物。
【請求項４２】
ｎが０であり；ｐが０であり；ｒが０である、請求項３に記載の化合物。
【請求項４３】
ｉ）Ｑｘが、−ＮＨであり；
ｉｉ）Ｑｙが、ＮＨ−Ｒｗ−（式中、Ｒｗは、（Ｃ１〜Ｃ１０）アルキル、（Ｃ２〜Ｃ９）ヘテロアルキル、（Ｃ６〜Ｃ１４）アリール、または（Ｃ２〜Ｃ９）ヘテロアリールである）である、
請求項３１に記載の化合物。
【請求項４４】
ｉ）Ｑｘが、−ＮＨであり；
ｉｉ）Ｑｙが、ＮＨ−Ｒｗ−（式中、Ｒｗは、（Ｃ１〜Ｃ１０）アルキル、（Ｃ２〜Ｃ９）ヘテロアルキル、（Ｃ６〜Ｃ１４）アリール、または（Ｃ２〜Ｃ９）ヘテロアリールである）である、
請求項３２に記載の化合物。
【請求項４５】
ｉ）Ｑｘが、−ＮＨであり；
ｉｉ）Ｑｙが、ＮＨ−Ｒｗ−（式中、Ｒｗは、（Ｃ１〜Ｃ１０）アルキル、（Ｃ２〜Ｃ９）ヘテロアルキル、（Ｃ６〜Ｃ１４）アリール、または（Ｃ２〜Ｃ９）ヘテロアリールである）である、
請求項３３に記載の化合物。
【請求項４６】
ｉ）ｍが、２であり；
ｉｉ）ｏが、２であり；
ｉｉｉ）Ｑｘが、ＮＨであり；
ｉｖ）Ｑｙが、ＮＨ−Ｒｗ−（式中、Ｒｗは、（Ｃ３）アルキルである）である、
請求項３４に記載の化合物。
【請求項４７】
ｉ）ｍが、２であり；
ｉｉ）ｏが、２であり；
ｉｉｉ）Ｙ１が、Ｈであり；
ｉｖ）Ｙ２が、式（Ｄ）、
【化８】
2016514192.tif 000008
（式中、ｄは１である）
によって表されるジヒドロキシ基である、
請求項３５に記載の化合物。
【請求項４８】
ｉ）ｍが、２であり；
ｉｉ）ｏが、２であり；
ｉｉｉ）Ｑｘが、ＮＨであり；
ｉｖ）Ｑｙが、ＮＨ−Ｒｗ−（式中、Ｒｗは、（Ｃ３）アルキルである）である、
請求項３６に記載の化合物。
【請求項４９】
前記化合物がポリマーである、請求項４７に記載の化合物。
【請求項５０】
ポリマーである、請求項４８に記載の化合物。
【請求項５１】
前記ポリマーが、請求項５０に記載の化合物とのコポリマーである、請求項４９に記載
の化合物。
【請求項５２】
ｉ）ｍが、０であり；
ｉｉ）ｏが、０である、
請求項３１に記載の化合物。
【請求項５３】
ｉ）ｍが、０であり；
ｉｉ）ｏが、０である、
請求項３２に記載の化合物。
【請求項５４】
ｉ）ｍが、０であり；
ｉｉ）ｏが、０である、
請求項３３に記載の化合物。
【請求項５５】
ｉ）Ｑｘが、ＮＨであり；
ｉｉ）Ｑｙが、Ｎ−Ｒｗ（式中、Ｒｗは、不在または（Ｃ１〜Ｃ１０）アルキル、（Ｃ２〜Ｃ９）ヘテロアルキル、（Ｃ６〜Ｃ１４）アリール、もしくは（Ｃ２〜Ｃ９）ヘテロアリールである）である、請求項４０に記載の化合物。
【請求項５６】
ｉ）Ｑｘが、ＮＨであり；
ｉｉ）Ｑｙが、Ｎ−Ｒｗ（式中、Ｒｗは、不在または（Ｃ１〜Ｃ１０）アルキル、（Ｃ２〜Ｃ９）ヘテロアルキル、（Ｃ６〜Ｃ１４）アリール、もしくは（Ｃ２〜Ｃ９）ヘテロアリールである）である、請求項４１に記載の化合物。
【請求項５７】
ｉ）Ｑｘが、ＮＨであり；
ｉｉ）Ｑｙが、Ｎ−Ｒｗ（式中、Ｒｗは、不在または（Ｃ１〜Ｃ１０）アルキル、（Ｃ２〜Ｃ９）ヘテロアルキル、（Ｃ６〜Ｃ１４）アリール、もしくは（Ｃ２〜Ｃ９）ヘテロアリールである）である、請求項４２に記載の化合物。
【請求項５８】
ｉ）ｍが、２であり；
ｉｉ）ｏが２であり；
ｉｉｉ）Ｑｘが、ＮＨであり；
ｉｖ）Ｑｙが、ＮＨ−Ｒｗ−（式中、Ｒｗは、（Ｃ３）アルキルである）であり；
ｖ）Ｒｘが、式（Ｂ）
【化９】
2016514192.tif 000009
（式中、ｂは３である）
によって表される塩化グアニジン基であり；
ｖｉ）Ｒｙが、式（Ｂ）
【化１０】
2016514192.tif 000010
（式中、ｂは０である）
によって表される塩化グアニジン基である、
請求項３４に記載の化合物。
【請求項５９】
ｉ）ｍが、２であり；
ｉｉ）ｏが２であり；
ｉｉｉ）Ｑｘが、ＮＨであり；
ｉｖ）Ｑｙが、ＮＨ−Ｒｗ−（式中、Ｒｗは、（Ｃ３）アルキルである）であり；
ｖ）Ｒｘが、式（Ｂ）
【化１１】
2016514192.tif 000011
（式中、ｂは３である）
によって表される塩化グアニジン基であり；
ｖｉ）Ｒｙが、式（Ｂ）
【化１２】
2016514192.tif 000012
（式中、ｂは０である）
によって表される塩化グアニジン基である、
請求項３５に記載の化合物。
【請求項６０】
ｉ）ｍが、２であり；
ｉｉ）ｏが２であり；
ｉｉｉ）Ｑｘが、ＮＨであり；
ｉｖ）Ｑｙが、ＮＨ−Ｒｗ−（式中、Ｒｗは、（Ｃ３）アルキルである）であり；
ｖＲｘが、式（Ｂ）
【化１３】
2016514192.tif 000013
（式中、ｂは３である）
によって表される塩化グアニジン基であり；
ｖｉ）Ｒｙが、式（Ｂ）
【化１４】
2016514192.tif 000014
（式中、ｂは０である）
によって表される塩化グアニジン基である、
請求項３６に記載の化合物。
【請求項６１】
ＲｘおよびＲｙが、それぞれ独立して、Ｈ、（Ｃ１〜Ｃ１０）アルキル、（Ｃ２〜Ｃ０）ヘテロアルキル、（Ｃ３〜Ｃ１０）シクロアルキル、（Ｃ２〜Ｃ９）ヘテロシクロアルキル、（Ｃ６〜Ｃ１４）アリール、（Ｃ２〜Ｃ９）ヘテロアリール、（Ｃ１〜Ｃ１０）アルキルアミン、−Ｏ（Ｏ）Ｃ−（Ｃ１〜Ｃ１０）アルキル、（Ｃ１〜Ｃ１０）アルキル−ＣＯＯＨ、（Ｃ３〜Ｃ１０）シクロアルキル−ＣＯＯＨ、−（Ｏ）ＣＨ３、−ＯＨ、アミド、
式（Ａ）
【化１９】
2016514192.tif 000015
（式中、ａは、０〜２５の整数である）
によって表されるグアニジノ基、
式（Ｂ）、
【化２０】
2016514192.tif 000016
（式中、ｂは、０〜２５の整数である）
によって表される塩化グアニジン基、
式（Ｃ）
【化２１】
2016514192.tif 000017
（式中、ｃは、０〜２５の整数である）
によって表されるグアニジノベンゼン基、
式（Ｄ）
【化２２】
2016514192.tif 000018
（式中、ｄは、０〜２５の整数である）
によって表されるジヒドロキシ基、または
式（Ｅ）
【化２３】
2016514192.tif 000019
（式中、ｅは、１から４００までの整数である）
によって表されるポリエチレングリコール基、
である、請求項１に記載の化合物。
【請求項６２】
ＲｘおよびＲｙが、それぞれ独立して、−（Ｏ）ＣＨ３、
式（Ａ）
【化２４】
2016514192.tif 000020
（式中、ａは、０〜２５の整数である）
によって表されるグアニジノ基、または
式（Ｃ）、
【化２５】
2016514192.tif 000021
（式中、ｃは、０〜２５の整数である）
によって表されるグアニジノベンゼン基から選択される、請求項６１に記載の化合物。
【請求項６３】
ＲｘおよびＲｙが、それぞれ独立して、Ｈ、（Ｃ１〜Ｃ１０）アルキル、（Ｃ２〜Ｃ０）ヘテロアルキル、（Ｃ３〜Ｃ１０）シクロアルキル、（Ｃ２〜Ｃ９）ヘテロシクロアルキル、（Ｃ６〜Ｃ１４）アリール、（Ｃ２〜Ｃ９）ヘテロアリール、（Ｃ１〜Ｃ１０）アルキルアミン、−Ｏ（Ｏ）Ｃ−（Ｃ１〜Ｃ１０）アルキル、（Ｃ１〜Ｃ１０）アルキル−ＣＯＯＨ、（Ｃ３〜Ｃ１０）シクロアルキル−ＣＯＯＨ、−（Ｏ）ＣＨ３、−ＯＨ、アミド、
式（Ａ）
【化２６】
2016514192.tif 000022
（式中、ａは、０〜２５の整数である）
によって表されるグアニジノ基、式（Ｂ）、
【化２７】
2016514192.tif 000023
（式中、ｂは、０〜２５の整数である）
によって表される塩化グアニジン基、式（Ｃ）
【化２８】
2016514192.tif 000024
（式中、ｃは、０〜２５の整数である）
によって表されるグアニジノベンゼン基、
式（Ｄ）
【化２９】
2016514192.tif 000025
（式中、ｄは、０〜２５の整数である）
によって表されるジヒドロキシ基、または
式（Ｅ）
【化３０】
2016514192.tif 000026
（式中、ｅは、１から４００までの整数である）
によって表されるポリエチレングリコール基、
である、請求項２に記載の化合物。
【請求項６４】
ＲｘおよびＲｙが、それぞれ独立して、−（Ｏ）ＣＨ３、式（Ａ）
【化３１】
2016514192.tif 000027
（式中、ａは、０〜２５の整数である）
によって表されるグアニジノ基、または
式（Ｃ）、
【化３２】
2016514192.tif 000028
（式中、ｃは、０〜２５の整数である）
によって表されるグアニジノベンゼン基から選択される、請求項６３に記載の化合物。
【請求項６５】
ＲｘおよびＲｙが、それぞれ独立して、Ｈ、（Ｃ１〜Ｃ１０）アルキル、（Ｃ２〜Ｃ０）ヘテロアルキル、（Ｃ３〜Ｃ１０）シクロアルキル、（Ｃ２〜Ｃ９）ヘテロシクロアルキル、（Ｃ６〜Ｃ１４）アリール、（Ｃ２〜Ｃ９）ヘテロアリール、（Ｃ１〜Ｃ１０）アルキルアミン、−Ｏ（Ｏ）Ｃ−（Ｃ１〜Ｃ１０）アルキル、（Ｃ１〜Ｃ１０）アルキル−ＣＯＯＨ、（Ｃ３〜Ｃ１０）シクロアルキル−ＣＯＯＨ、−（Ｏ）ＣＨ３、−ＯＨ、アミド、
式（Ａ）
【化３３】
2016514192.tif 000029
（式中、ａは、０〜２５の整数である）
によって表されるグアニジノ基、式（Ｂ）、
【化３４】
2016514192.tif 000030
（式中、ｂは、０〜２５の整数である）
によって表される塩化グアニジン基、式（Ｃ）
【化３５】
2016514192.tif 000031
（式中、ｃは、０〜２５の整数である）
によって表されるグアニジノベンゼン基、式（Ｄ）
【化３６】
2016514192.tif 000032
（式中、ｄは、０〜２５の整数である）
によって表されるジヒドロキシ基、または
式（Ｅ）
【化３７】
2016514192.tif 000033
（式中、ｅは、１から４００までの整数である）
によって表されるポリエチレングリコール基、
である、請求項３に記載の化合物。
【請求項６６】
ＲｘおよびＲｙが、それぞれ独立して、−（Ｏ）ＣＨ３、
式（Ａ）
【化３８】
2016514192.tif 000034
（式中、ａは、０〜２５の整数である）
によって表されるグアニジノ基、または
式（Ｃ）、
【化３９】
2016514192.tif 000035
（式中、ｃは、０〜２５の整数である）
によって表されるグアニジノベンゼン基から選択される、請求項６５に記載の化合物。
【請求項６７】
請求項１に記載の化合物を含む医薬品組成物。
【請求項６８】
請求項２に記載の化合物を含む医薬品組成物。
【請求項６９】
請求項３に記載の化合物を含む医薬品組成物。
【請求項７０】
粘膜炎の治療で使用するための請求項６７に記載の医薬品組成物。
【請求項７１】
粘膜炎の治療で使用するための請求項６８に記載の医薬品組成物。
【請求項７２】
粘膜炎の治療で使用するための請求項６９に記載の医薬品組成物。
【請求項７３】
口腔粘膜炎の治療で使用するための請求項６７に記載の医薬品組成物。
【請求項７４】
口腔粘膜炎の治療で使用するための請求項６８に記載の医薬品組成物。
【請求項７５】
口腔粘膜炎の治療で使用するための請求項６９に記載の医薬品組成物。
【請求項７６】
感染症の治療で使用するための請求項６７に記載の医薬品組成物。
【請求項７７】
感染症の治療で使用するための請求項６８に記載の医薬品組成物。
【請求項７８】
感染症の治療で使用するための請求項６９に記載の医薬品組成物。
【請求項７９】
前記感染症が、手術部位感染症である、請求項７６に記載の医薬品組成物。
【請求項８０】
前記感染症が、嚢胞性線維症に関連する肺感染症である、請求項７６に記載の医薬品組成物。
【請求項８１】
前記感染症が、緑膿菌肺感染症である、請求項８０に記載の医薬品組成物。
【請求項８２】
バイオフィルムが、前記緑膿菌肺感染症の中に存在する、請求項８１に記載の医薬品組成物。
【請求項８３】
前記感染症が、手術部位感染症である、請求項７７に記載の医薬品組成物。
【請求項８４】
前記感染症が、嚢胞性線維症に関連する肺感染症である、請求項７７に記載の医薬品組成物。
【請求項８５】
前記感染症が、緑膿菌肺感染症である、請求項８４に記載の医薬品組成物。
【請求項８６】
バイオフィルムが、前記緑膿菌肺感染症の中に存在する、請求項８５に記載の医薬品組成物。
【請求項８７】
前記感染症が、手術部位感染症である、請求項７８に記載の医薬品組成物。
【請求項８８】
前記感染症が、嚢胞性線維症に関連する肺感染症である、請求項７８に記載の医薬品組成物。
【請求項８９】
前記感染症が、緑膿菌肺感染症である、請求項８８に記載の医薬品組成物。
【請求項９０】
バイオフィルムが、前記緑膿菌肺感染症の中に存在する、請求項８９に記載の医薬品組成物。